(57)【特許請求の範囲】
【請求項１】
照明光束を被検眼に導く照明光学系と、被検眼からの照明光束の反射光束を受像装置に導く観察光学系と、前記照明光学系の光路に配置された第１反射部材によって照明光束の一部を分岐すると共にその分岐した光束を光検出素子に導く第１導光光学系と、前記観察光学系の光路に配置された第２反射部材によって反射光束の一部を分岐すると共にその分岐した光束を前記光検出素子に導く第２導光光学系と、前記光検出素子に検出された照明光束の光量及び反射光束の光量に基づいて被検眼の反射率を演算する演算手段と、該演算手段による演算結果に基づいて露光量を決定する露光量決定手段とを備えていることを特徴とする眼科用撮影装置。
【請求項２】
照明光束を被検眼に導く照明光学系と、被検眼からの照明光束の反射光束を受像装置に導く観察光学系と、前記照明光学系の光路に配置された第１反射部材によって照明光束の一部を分岐すると共にその分岐した光束を光検出素子に導く第１導光光学系と、前記観察光学系の光路に配置された第２反射部材によって反射光束の一部を分岐すると共にその分岐した光束を前記光検出素子に導く第２導光光学系と、前記第１，第２導光光学系の少なくとも一方に設けられ且つその一方の光学系による前記光検出素子への導光を阻止する導光阻止手段と、前記光検出素子に検出された照明光束の光量及び反射光束の光量に基づいて被検眼の反射率を演算する演算手段と、該演算手段による演算結果に基づいて露光量を決定する露光量決定手段とを備えていることを特徴とする眼科用撮影装置。
【請求項３】
前記導光阻止手段による導光阻止は、前記第１反射部材又は前記第２反射部材を光路外に離脱させることにより行うことを特徴とする請求項２に記載の眼科用撮影装置。
【請求項４】
前記導光阻止手段による導光阻止は、前記第２反射部材の挿脱、連動して、逆に前記第２導光光学系に光路切換ミラーを挿脱させることにより行うことを特徴とする請求項２に記載の眼科用撮影装置。
【請求項５】
前記第１導光光学系と前記第２導光光学系とは、その光路中に配置されたひとつのハーフミラーによって、該ハーフミラーから前記光検出素子までの光路を共有していることを特徴とする請求項１又は２に記載の眼科用撮影装置。
【請求項６】
前記第１導光光学系と前記第２導光光学系とは、その光路中に配置されたひとつの光路切換ミラーによって、該光路切換ミラーから前記光検出素子までの光路を共有していることを特徴とする請求項１又は２に記載の眼科用撮影装置。
【発明の詳細な説明】
【０００１】
【発明の属する技術分野】
本発明は、眼科用撮影装置、特に、被検眼を受像装置によって撮影する際の露光量の制御を行う眼科用撮影装置に関する。
【０００２】
【従来の技術】
従来から、観察光源と撮影光源とを備え且つこれら各光源から出射された照明光束と撮影用照明光束とを被検眼に投影する照明光学系と、被検眼に対向する対物レンズを備え且つ被検眼を撮影する受像装置に被検眼からの反射光束を導く観察光学系と、観察光学系の光路中途部で被検眼からの反射光束の一部を分岐してその分岐した光束に基づいて被検眼を観察する観察光学系と、撮影スイッチの操作に応答して撮影光源の発光制御を行う発光制御回路とを備えた眼科用撮影装置が知られている。
【０００３】
また、このような眼科用撮影装置では、撮影光路の光路中にハーフミラー等の光学部品を設けて撮影光束の一部を抽出し、その抽出した光束の光量を検出することで発光制御回路による撮影光源の発光量を制御して適正露出が得られるようにしている。
【０００４】
しかしながら、このような眼科用撮影装置は、撮影中に撮影光束の一部を抽出する光学部品を常時撮影光路に設ける構成であるため、操作距離（例えば、眼底カメラの場合では、検者から被検眼までの距離）が長くなり、またその光学部品の光学特性の影響を受けて撮影像が劣化するという不具合がある。
【０００５】
また、観察照明光束の光量を検出するための光検出素子と、眼底からの反射光量を検出するための光検出素子とを別々に設けたものもある。（特開平３−１９８８３０号公報参照）
一方、例えば、眼底カメラの場合に用いられる観察光源（一般にハロゲンランプ）と撮影光源（一般にキセノンランプ）とは熱源にもなるので、眼底カメラを使用している間に徐々に機械内部の温度が上昇し、数時間継続して使用することによってその温度上昇が停止して平衡状態となる。
【０００６】
従って、上述したように、観察照明光量を検出する検出素子と、眼底からの反射光量を検出する検出素子とを各々専用に設けた構成では、これら２つの光検出素子は離れて配置され、各光検出素子の周囲温度が異なるため、熱源となる観察光源と撮影光源からの影響に差が発生してしまう。
【０００７】
しかも、これらの光検出素子には可視光型シリコンフォトダイオードが用いられている。この可視光型シリコンフォトダイオードは、一般に、周囲温度によるフォトダイオードの感度と暗電流とは変化するという特性を有している。また、眼科用撮影装置では、被検者の個人差や撮影の種類等の状況によって観察照明光量を広範囲に変化させることが多く、それに伴って光検出素子も広範囲の光量を測定できることが要求されるため、光検出素子にログアンプを接続することで、広い範囲の測光並びに観察光と反射光束の比を計算するための回路として安価な引算回路を用いることを可能としている。尚、周囲温度に対してログアンプの方が光検出素子自体よりも大きく影響を受けることが一般的に広く知られているため、ログアンプに温度補償回路を付与して周囲温度に対する信頼性を確保している。
【０００８】
【発明が解決しようとする課題】
ところで、照明光束の光量検出用の光検出素子と眼底反射光束の光量検出用の光検出素子とを別々に用い、これら２つの光検出素子によって反射率を求めて露光制御を行う構成では、下記１〜４のような各種不具合が生じる。
【０００９】
１．光検出素子は製品間の特性バラツキが大きいため、各光検出素子の特性の違いによる測定誤差を補正するための特別な回路等が必要となる。
【００１０】
２．光検出素子は周囲温度により特性が大きく変わるため、各光検出素子間に温度差が生じると特性が変化して正確な露光制御ができなくなる。
【００１１】
３．光検出素子は、年月を経る毎に感度が悪化する傾向にあるため、長期間正確な露光制御を行うためには、定期的に（例えば、数カ月に１度）２つの光検出素子の感度を検査して校正を行う必要がある。
【００１２】
４．光検出素子に接続されたログアンプは、光検出素子以上に温度の影響を受けやすいため、各光検出素子に接続した２つのログアンプ間においても温度差が生じて正確な露光制御ができなくなるおそれがある。
【００１３】
本発明は、上記事情に鑑みてなされたものであって、装置本体の使用に伴って変化する周囲温度に対して光検出素子やこれに付随する回路部品等の温度補償や校正が容易となり、よって正確な露光制御を行うことができるばかりでなく、光検出素子の経年変化に対しても光検出素子の校正を容易に行うことができ、しかも、１つの光検出素子で検出を行うので、光検出素子の特性を一定の関係に合わせる等の難しい作業等を不要とすることができる眼科用撮影装置を提供することを目的とする。
【００１４】
【課題を解決するための手段】
その目的を達成するために、請求項１に記載の発明は、照明光束を被検眼に導く照明光学系と、被検眼からの照明光束の反射光束を受像装置に導く観察光学系と、前記照明光学系の光路に配置された第１反射部材によって照明光束の一部を分岐すると共にその分岐した光束を光検出素子に導く第１導光光学系と、前記観察光学系の光路に配置された第２反射部材によって反射光束の一部を分岐すると共にその分岐した光束を前記光検出素子に導く第２導光光学系と、前記光検出素子に検出された照明光束の光量及び反射光束の光量に基づいて被検眼の反射率を演算する演算手段と、該演算手段による演算結果に基づいて露光量を決定する露光量決定手段とを備えていることを要旨とする。
【００１５】
【発明の実施の形態】
次に、本発明の眼科撮影器械の実施の形態を眼底カメラに適用して、図面に基づいて説明する。
【００１６】
図１は、本発明の眼底カメラの光学系の説明図である。図１において、１０は被検眼Ｅに照明光束を導く照明光学系、３０は被検眼Ｅからの照明光束の反射光束を受像装置としてのテレビカメラＴに導く観察光学系としての観察・撮影光学系、５０は観察・撮影光学系３０から分岐されたファインダー光学系である。なお、図１において、Ｅｆは眼底、Ｅｃは前眼部、Ｅｒは水晶体である。
【００１７】
照明光学系１０は、観察用光源（例えば、ハロゲンランプ）１１、コンデンサーレンズ１２、撮影用光源（例えば、キセノンランプ）１３、コンデンサーレンズ１４、蛍光撮影時に光軸Ｏ１で示す照明光路内に挿入されるエキサイターフィルター１５、第１反射部材１６、照明用絞り１７、反射ミラー１８、有害反射光を除去する黒点１９ａを有する有害反射光除去部材１９、リレーレンズ２０、穴空きミラー２１、対物レンズ２２を有する。尚、ハロゲンランプ１１は撮影用も兼ねている。
【００１８】
ハロゲンランプ１１から出射された観察・撮影用の照明光束は、コンデンサーレンズ１２から対物レンズ２２までの光学部品を経て被検眼Ｅの眼底Ｅｆに照射され、図示しない撮影スイッチの押圧によって発光するキセノンランプ１３から出射された撮影用の照明光束はコンデンサーレンズ１４から対物レンズ２２までの光学部品を経て被検眼Ｅの眼底Ｅｆに照射される。
【００１９】
尚、カラー撮影モードの場合にはエキサイターフィルター１５は光路から退避される。照明用絞り１７は被検眼Ｅの角膜Ｅｃと共役であり、黒点１９ａは対物レンズ２２の表面での反射光が穴空きミラー２１の孔部２１ａを通過するのを阻止する遮光物である。
【００２０】
第１反射部材１６は、ハロゲンランプ１１から出射された照明光束の一部を第１導光光学系２３に分岐する。
【００２１】
この第１導光光学系２３は、コンデンサーレンズ２４、光ファイバー２５、ハーフミラー２６、コンデンサーレンズ２７、光検出素子２８（例えば、可視光型シリコンフォトダイオード）を有する。
【００２２】
ハロゲンランプ１１から出射された観察・撮影用の照明光束は、その一部が第１反射部材１６によって反射される。この反射された照明光束は、コンデンサーレンズ２４によって光ファイバー２５の端面に収束され、光ファイバー２５によってハーフミラー２６へと導かれた後、ハーフミラー２６に反射され、コンデンサーレンズ２７によって光検出素子２８に結像される。
【００２３】
観察・撮影光学系３０は、対物レンズ２２、穴空きミラー２１の穴部２１ａ、撮影絞り３１、蛍光撮影時に光軸Ｏ２で示す撮影光路内に挿入されるバリアフィルター３２、第２反射部材３３、フオーカスレンズ３４、変倍レンズ３５、結像レンズ３６、クイックリターンミラー３７、３５mmフィルムＦ、光路切換ミラー３８、マスク３９、眼底Ｅｆと共役なフィールドレンズ４０、反射ミラー４１、テレビリレーレンズ４２、受像面４３を有するテレビカメラＴを有する。このテレビカメラＴには画面４４ａを有するモニタ装置４４と接続されている。尚、テレビカメラＴで観察・記録するための記憶装置等は図示を省略する。
【００２４】
変倍レンズ３５は、光路から挿脱自在となっており、例えば、画角５０°の変倍レンズ３５と画角３５°の変倍レンズ３５´とで切り換え可能となっている。
【００２５】
眼底Ｅｆで反射された反射光束は、対物レンズ２２から結像レンズ３６至る光学部材を経てクイックリターンミラー３７に至る。クイックリターンミラー３７は、常時は図示の状態にあり、キセノンランプ１３を発光させた撮影の場合にはクイックリターンミラー３７が矢印方向に瞬間的に跳ね上がり、これにより眼底Ｅｆで反射された反射光束に基づく眼底像が３５mmフィルムＦに撮影される。
【００２６】
また、ハロゲンランプ１１を点灯させての観察・撮影時の反射光束は、クイックリターンミラー３７に反射され、アライメント操作時等の肉眼観察の場合には光路切換ミラー３８に反射されてファインダー光学系５０へと導かれ、モニター観察・撮影の場合には光路切換ミラー３８が矢印方向に変位して光路から退避され、マスク３９からテレビリレーレンズ４２に至る光学部品を経て受像面４３に眼底像が結像され、これにより、モニタ装置４４の画面４４ａに眼底像Ｅｆ´が画面表示される。尚、画面４４ａには、後述する反射率を表示することも可能である。
【００２７】
第２反射部材３３には、プリズムミラーが用いられており、被検眼Ｅにより反射された反射光束の一部を第２導光光学系４５に分岐する。
【００２８】
第２導光光学系４５は、集光レンズ４６、開口絞り４７を備えていると共に、第１導光光学系２３のハーフミラー２６、コンデンサーレンズ２７、光検出素子２８を共用している。
【００２９】
眼底Ｅｆで反射された反射光束の一部は、対物レンズ２２、穴部２１ａ、撮影絞り３１を経て第２反射部材３３に反射され、集光レンズ４６、開口絞り４７を経てハーフミラー２６を透過した後、コンデンサーレンズ２７によって光検出素子２８に結像される。
【００３０】
なお、第２反射部材３３は、撮影光路に対して挿脱自在としてアライメント時には撮影光路から離脱させることで光検出素子２８への導光を阻止する導光阻止手段としての役割を兼ねている。また、第１導光光学系２３からの照明光束を反射し、第２導光光学系４５からの反射光束を透過するハーフミラー２６は、眼底Ｅｆの反射率の低さから、透過率が反射率よりも比較的高いものが使用されており、ここでは、透過率７０％、反射率３０％となっている。
【００３１】
ファインダー光学系５０は、マスク５１と、眼底Ｅｆと共役なフィールドレンズ５２と、接眼レンズ５３とを有し、光路切換ミラー３８によって反射された反射光束をマスク５１、フィールドレンズ５２、接眼レンズ５３を経て肉眼視し、装置本体と被検眼Ｅとの相対位置の調整（アライメント調整，作動距離調整）およびフォーカスレンズ３４によるピント合わせを行う。
【００３２】
一方、光検出素子２８には演算制御回路６０が接続されている。この演算制御回路６０は、図３に示すように、ログアンプ６１、メモリＡ，Ｂ、撮影モードをカラー撮影と蛍光撮影とで切り換える撮影モード選択スイッチ６２、変倍レンズ３５と変倍レンズ３５´との切り換え時に操作される倍率選択スイッチ６３、撮影装置を３５mmフィルムＦとテレビカメラＴとで切り換える撮影装置選択スイッチ６４、蛍光撮影時にエキサイターフィルター１５を光路内に挿入しカラー撮影時にエキサイターフィルター１５を光路外へと退避させるエキサイターフィルター駆動手段６５、蛍光撮影時にバリアフィルター３２を光路内に挿入しカラー撮影時にバリアフィルター３２を光路外へと離脱させるバリアフィルター駆動手段６６、第２反射部材３３の光路内への挿入並びに光路外への離脱をするソレノイド６７、テレビカメラＴに接続の信号処理回路６８、ハロゲンランプ１１とキセノンランプ１３の光量調整を行う調光回路６９を有する。
【００３３】
ログアンプ６１は、光検出素子２８の出力を対数変換する機能を有する。ここでログアンプ６１及び引算回路を使用するのは、光検出素子２８の出力を直接割算回路により演算する場合に比べて誤差が小さくなること、並びに、引算回路は割算回路に比べて安価である等のメリットがあるからである。
【００３４】
尚、光検出素子２８やログアンプ６１は、熱源となるハロゲンランプ１１やキセノンランプ１３から離れた位置で、且つ、なるべく装置本体の筐体（図１に示した各種光学部材を内蔵）の下方寄りに配置するのが好ましく、ハロゲンランプ１１やキセノンランプ１３等から放射された熱が筺体の上方に移動することを考慮すると、ランプ１１，１３の垂直上方に配置することは避けた方がよい。
【００３５】
次に、光検出素子２８の周囲温度の変化や経年変化に対応するための校正方法を説明する。この方法としては、装置本体の電源をＯＮした時、撮影モードを変更した時（例えば、３５mmフィルムＦからテレビカメラＴへ変更した時）、撮影を終了した時（例えば、蛍光撮影終了時のタイマーＯＦＦやリセット時）に、ハロゲンランプ１１に所定の電圧を与えて光検出素子２８に一定の光量が入射するようにして行う方法が簡単に行えるので良い。
【００３６】
先ず、一例としてカラー撮影モードで３５mmフィルムＦに撮影記録する場合のアライメント時には、第２反射部材３３は光路から離脱されており、光路切換ミラー３８は光路内にあってファインダー光学系５０によるアライメント観察状態となっている。
【００３７】
このアライメント観察状態では、ハロゲンランプ１１から出射された照明光束の一部が第１反射部材１６によって反射され、コンデンサーレンズ２４、光ファイバー２５、ハーフミラー２６、コンデンサーレンズ２７を経て光検出素子２８に導かれる。この際の光検出素子２８の出力は、図２（Ａ）のグラフ図に示すように“ａ0”となる。
【００３８】
光検出素子２８（及びそれに付随した回路、以下同じ）は、その入射光量に応じた電圧を発生する。発生した電圧はログアンプ６１により対数変換され、その変換値をメモリＡに記憶させる。
【００３９】
次に、アライメント完了後、撮影スイッチ（図示せず）がおされると、第２反射部材３３が挿入されると、ハロゲンランプ１１から出射された照明光束の一部が第１反射部材１６に反射され、コンデンサーレンズ２４、光ファイバー２５、ハーフミラー２６、コンデンサーレンズ２７を経て光検出素子２８に導かれると共に、眼底Ｅｆで反射された反射光束の一部が第２反射部材３３、集光レンズ４６、開口絞り４７、ハーフミラー２６、コンデンサーレンズ２７を経て光検出素子２８に導かれる。従って、光検出素子２８の出力は、照明光束の光量と眼底Ｅｆからの反射光束の光量の和ｂ0となる。ログアンプ６１は、この第２反射部材３３を光路に挿入した後の光検出素子２８の受光光量ｂ0を対数変換してその変換値をメモリＢに記憶させる。演算制御回路６０は、メモリＡ，メモリＢに記憶された値に基づき、次式により、眼底の反射率Ｒを演算する。
【００４０】
Ｒ＝Ｋ（ｂ0−ａ0／ａ0）
ただし、Ｋは定数であり、装置に固有の値である。
【００４１】
演算が終了すると、演算制御回路６０はソレノイド６７に対し駆動信号を出力する。ソレノイド６７は、この駆動信号に基づいて第２反射部材３３を撮影光路内から離脱させる。
【００４２】
調光回路６９は、求められた眼底Ｅｆの反射率Ｒに基づいてランプ１３の発光量を適正となるように調整する。尚、調光回路６９は、撮影モード（カラー／蛍光）、倍率、受像装置の種類（３５mmフィルム／テレビカメラ）によって調整量は異なるので、反射率だけでなくこれらの情報を考慮して発光量を決定する。
【００４３】
このように、本実施例では、照明光の光量及び眼底の反射光の両方を同一の受光素子で受光し、光量を算出しているので、２つの受光素子を使用する場合に生ずる問題を回避することができる。例えば、２つの素子の周囲温度が異なることによる測定値の誤差を考慮する必要がなくなる。また、２つの受光素子を使用した場合には、経年変化により、２つの受光素子の特性が異なるものとなった場合に、これを考慮して眼底の反射率を演算する必要があるが、本発明では、その必要がない。
【００４４】
尚、実際の眼底カメラの場合には、上述した他に、次のような幾つかの構成要素を考慮する必要がある。
【００４５】
・蛍光撮影のためのフィルター１５，３２やその他の特殊フィルター
・撮影手段の種類（３５mmフィルムＦ，テレビカメラＴか又はインスタントフィルム）
そして、撮影モード（カラー／蛍光、倍率、撮影手段｛３５mmフィルム／テレビカメラ｝）に応じてキセノンランプ１３（テレビカメラなどによる動画記録撮影の場合には、ハロゲンランプ１１）の発光光量の基準が変わるのが一般的であるから撮影モードに応じた基準に対して発光光量を補正する構成にすることが好ましい。
【００４６】
一方、蛍光撮影モードの撮影の場合、蛍光剤を静注後１０分程度の経過撮影を行うが、初めの１〜２分間位で眼底Ｅｆ全体に蛍光剤が行き渡ってしまい、それ以降は明るさの変化は少ないため（徐々に暗くなっていく）、蛍光輝度の経過観察を行うことも大切であることから、所定時間経過後は補正量を一定（または補正は行わずに）にして発光させると良い。また、蛍光撮影は、カラーに比べて撮影枚数が多いので第２反射部材３３を挿脱する機構の耐久性についても有利である。尚、「特開平５−３８３３０号公報」に開示されているような被検眼Ｅの反射率が所定範囲内にあるか否かを判断する判断手段を設けてもよい。
【００４７】
図２（Ｂ）のグラフ図は、蛍光撮影モードの撮影の場合での、アライメント検出時における光検出素子２８の出力“ａ1”、測光時における光検出素子２８の出力“ｂ1”を示す。また、図２（Ｂ）の出力“ａ2”，“ｂ2”は、別の時間のものであって、照明光量や蛍光輝度が変化しているので、必ずしも“ａ1”，“ｂ1”とは一致しない。
【００４８】
ところで、図４に示すように、上述したハーフミラー２６を切換ミラー７０とし、光検出素子２８に導光する２つの光束の効率を向上させてもよい。この際、切換ミラー７０は、アライメント時は光路内に位置して観察照明光束を光検出素子２８に導光し、測定時には光路外に退避すると共に、第２反射部材３３が挿入されて、眼底Ｅｆからの反射光束のみを光検出素子２８に導光する。尚、切換ミラーとしたことにより、第２反射部材３３を撮影光束をケラレない光路内に固定する構成としてもよい。
【００４９】
さらに、図５及び図６に示すように、切換ミラー７０の場合は、第２反射部材３３の挿脱に連動して、切換ミラー７０を逆に挿脱させるとよい。
【００５０】
尚、図５（Ａ），（Ｂ）に示した例は、切換ミラー７０と第２反射部材３３とを連結バー７１によって連結し、スライドによって切換ミラー７０を光路内へと挿入して第２反射部材３３を光路から退避させている場合（図５（Ａ）の状態）と、切換ミラー７０を退避させて第２反射部材３３を光路内へと挿入している場合（図５（Ｂ）の状態）とで切り換える。
【００５１】
また、図６（Ａ），（Ｂ）に示した例は、切換ミラー７０と第２反射部材３３とを軸７２を支点として回転する連結バー７３によって連結し、回転によって切換ミラー７０を光路内へと挿入して第２反射部材３３を光路から退避させている場合（図６（Ａ）の状態）と、切換ミラー７０を退避させて第２反射部材３３を光路内へと挿入している場合（図６（Ｂ）の状態）とで切り換える。
【００５２】
この際、図２（Ｃ）に示すように、カラー撮影モードのアライメント時の光検出素子２８からの出力は“ｃ0”、測光時の光検出素子２８からの出力は“ｄ0”となり、計算式は、単純にＲ＝ｋ´×ｄ0／ｃ0で求められる。
【００５３】
また、図２（Ｄ）に示すように、蛍光撮影モードのアライメント時の光検出素子２８からの出力は“ｃ1”、測光時の光検出素子２８からの出力は“ｄ1”となり、別の時間の光検出素子２８の出力例は“ｃ2”，“ｄ2”となる。
【００５４】
【発明の効果】
以上説明したように、本発明の眼科用撮影装置にあっては、観察照明光束と反射光束とを１つの光検出素子に導光するように構成したことにより、装置本体の使用に伴って変化する周囲温度に対して光検出素子やこれに付随する回路部品等の温度補償や校正が容易となり、よって正確な露光制御を行うことができるばかりでなく、光検出素子の経年変化に対しても光検出素子の校正を容易に行うことができ、しかも、１つの光検出素子で検出を行うので、光検出素子の特性を一定の関係に合わせる等の難しい作業等を不要とすることができる。
【図面の簡単な説明】
【図１】本発明の実施の形態に係わる眼科用撮影装置を示し、眼底カメラの光学系の説明図である。
【図２】同じく、光検出素子の検出状態を示し、（Ａ）はハーフミラーを適用した際のカラー撮影の場合のグラフ図、（Ｂ）はハーフミラーを適用した際の蛍光撮影の場合のグラフ図、（Ｃ）は切換ミラーを適用した際のカラー撮影の場合のグラフ図、（Ｄ）は切換ミラーを適用した際の蛍光撮影の場合のグラフ図である。
【図３】同じく、制御回路のブロック図である。
【図４】本発明の実施の形態の変形例に係わる眼底カメラの光学系の要部の説明図である。
【図５】本発明の実施の形態の変形例による切換ミラーと第２反射部材との切り換え方式にスライド方式を採用した例を示し、（Ａ）は図４の矢印Ａ方向から見たアライメント時及び撮影時における光学系の要部の説明図、（Ｂ）は図４の矢印Ａ方向から見た測光時における光学系の要部の説明図である。
【図６】本発明の実施の形態の変形例による切換ミラーと第２反射部材との切り換え方式に回転方式を採用した例を示し、（Ａ）は図４の矢印Ａ方向から見たアライメント時及び撮影時における光学系の要部の説明図、（Ｂ）は図４の矢印Ａ方向から見た測光時における光学系の要部の説明図である。
【符号の説明】
１０…照明光学系
１６…第１反射部材
３０…観察光学系
３３…第２反射部材
２３…第１導光光学系
２８…光検出素子
４５…第２導光光学系
６０…演算手段
６９…調光回路（露光量決定手段）
【図１】
0003645371.tif 000002
【図２】
0003645371.tif 000003
【図３】
0003645371.tif 000004
【図４】
0003645371.tif 000005
【図５】
0003645371.tif 000006
【図６】
0003645371.tif 000007